(57)【要約】【課題】オートプリセットのために放送局の自動検索を行った場合に、妨害のない良好な受信状態の放送局のみを検索して記憶する。【解決手段】電子同調ラジオ受信回路１１が同調した周波数の電界強度レベルを電界強度検出回路１２で検出し、電界強度レベルが一定以上の場合は、さらに隣接局検出手段１４により１００ＫＨｚの隣接周波数の電界強度レベルを調べ、さらにマルチパス検出手段１５によりマルチパスの存在を調べ、隣接周波数およびマルチパスの受信電界強度が所定の値よりも小さい場合に限り、同調した周波数をプリセットメモリ１６に記憶する。これにより、ノイズのない受信状態の良好な電波のみをプリセットすることができる。【選択図】　図１
2004056500.tif 000002
【特許請求の範囲】
【請求項１】
所定範囲の複数の周波数を所定の間隔で順次検索して受信電界強度の大きい周波数を選択し、前記選択した周波数の所定範囲内の隣接周波数を検出し、前記隣接周波数の受信電界強度が所定の値よりも小さい場合に、前記選択した周波数を順次記憶する放送受信装置のオートプリセット方法。
【請求項２】
所定範囲の複数の周波数を所定の間隔で順次検索して受信電界強度の大きい周波数を選択し、前記選択した周波数のマルチパス周波数を検出し、前記マルチパス周波数の受信電界強度が所定の値よりも小さい場合に、前記選択した周波数を順次記憶する放送受信装置のオートプリセット方法。
【請求項３】
所定範囲の複数の周波数を所定の間隔で順次検索して受信電界強度の大きい周波数を選択し、前記選択した周波数の所定範囲内の隣接周波数および前記選択した周波数のマルチパスを検出し、前記隣接周波数およびマルチパスの受信電界強度が所定の値よりも小さい場合に、前記選択した周波数を順次記憶する放送受信装置のオートプリセット方法。
【請求項４】
所定範囲の複数の周波数を所定の間隔で順次検索して受信電界強度の大きい周波数を選択する手段と、前記選択した周波数の所定範囲内の隣接周波数を検出し、前記隣接周波数の受信電界強度が所定の値よりも小さい場合に、前記選択した周波数を順次記憶する手段とを備えた放送受信装置。
【請求項５】
所定範囲の複数の周波数を所定の間隔で順次検索して受信電界強度の大きい周波数を選択する手段と、前記選択した周波数のマルチパス周波数を検出し、前記マルチパス周波数の受信電界強度が所定の値よりも小さい場合に、前記選択した周波数を順次記憶する手段とを備えた放送受信装置。
【請求項６】
所定範囲の複数の周波数を所定の間隔で順次検索して受信電界強度の大きい周波数を選択する手段と、前記選択した周波数の所定範囲内の隣接周波数を検出する手段と、前記選択した周波数のマルチパスを検出する手段と、前記検出した隣接周波数およびマルチパスの受信電界強度が所定の値よりも小さい場合に、前記選択した周波数を順次記憶する手段とを備えた放送受信装置。
【発明の詳細な説明】
【０００１】
【発明の属する技術分野】
本発明は、受信可能な放送局の周波数を自動検索して順次記憶するオートプリセット方法およびその放送受信装置に関し、特に車載用オーディオ装置への適用が好適な放送受信装置に関する。
【０００２】
【従来の技術】
図３は従来のオートプリセット機能を備えた車載用の放送受信装置の構成を示す概略ブロック図である。図３において、電子同調ラジオ受信回路１は、所定範囲の周波数、例えば８７．５ＭＨｚから１０８ＭＨｚのＦＭ放送を受信し、所望の周波数に同調して中間周波数を得、この中間周波数を検波して出力する。電界強度検出回路２は、中間周波数から受信電界強度を検出するものであり、Ｓメータが使用される。コントロールマイコン３は、この放送受信装置の全体を制御するとともに、電子同調ラジオ受信回路１にオートプリセットのために一番低い周波数から順に１００ＫＨｚ間隔で同調周波数を指示し、電界強度検出回路２からの受信電界強度から良好に受信可能な周波数であるかどうかを判断して、受信可能な周波数である場合はその周波数情報をプリセットメモリ４に格納する。ミュート回路５は、オートプリセットを行う場合に雑音がスピーカ７から出力されるのを防止するために、電子同調ラジオ受信回路１からの検波出力を減衰する。アンプ６は、電子同調ラジオ受信回路１からの検波出力を増幅してスピーカ７から出力する。
【０００３】
次に、上記従来の放送受信装置のオートプリセット動作について図４のフローを参照して説明する。図４において、ｆは受信周波数、ＩＦは中間周波数、Ｖは受信周波数の電界強度、Ｖａは予め設定されているオートプリセット時の受信周波数に必要な最低電界強度である。コントロールマイコン３は、まずステップＳ１で電子同調ラジオ受信回路１に周波数ｆを受信させ、ステップＳ２で放送局自動検索を開始する。開始しない場合ステップＳ１へ戻る。ステップＳ２で放送局自動検索を開始した場合、ステップＳ３でミュート回路５に信号を送り音声信号をミュートする。ステップＳ４で受信周波数ｆに１ステップ分（ここでは１００ＫＨｚ）だけ周波数を加算し、ステップＳ５で１ステップ分加算された周波数ｆに同調する。ステップＳ６では、電界強度検出回路２からの信号を基に同調周波数ｆのＩＦ信号の有無を確認し、ＩＦ信号がなかった場合はステップＳ４へ戻る。ステップＳ６でＩＦ信号があった場合はステップＳ７へ移行する。ステップＳ７では、同調周波数ｆの電界強度Ｖを確認し、Ｖ＜ＶａならステップＳ４へ戻り、Ｖ≧ＶａならステップＳ８へ移行する。ステップＳ８では、音声信号のミュートを解除して周波数ｆの音声信号をアンプ６で増幅してスピーカ７から出力するとともに、その周波数情報をプリセットメモリ４に格納する。そして、プリセットボタンを押すことにより、プリセットメモリ４に格納された周波数が読み出されて電子同調ラジオ受信回路１に同調させる。これにより、車載用の放送受信装置のように運転しながら操作する場合でも、容易に放送局を選択することができる。
【０００４】
【発明が解決しようとする課題】
しかしながら、上記従来の放送受信装置では、オートプリセットのために放送局の自動検索を行う場合に、中間周波数の信号レベルが所定レベル以上でかつ周波数カウントが所定範囲内の時に放送局が存在すると判定し、その時の周波数情報をプリセットメモリに格納するので、この条件に当てはまる場合には、多少のノイズがあってもその放送局を選択することなる。しかし実際に放送を聞く場合には、ノイズの混じった音は非常に聞きづらいものであり、このため、使用者は、再度放送局を自動検索する操作を強いられる場合があった。
【０００５】
本発明は、このような従来の問題を解決するものであり、放送局の自動検索を行った場合に、ノイズのない良好な受信状態の放送局のみを検索することのできるオートプリセット方法およびその放送受信装置を提供することを目的とする。
【０００６】
【課題を解決するための手段】
上記目的を達成するために、また、本発明のオートプリセット方法は、所定範囲の複数の周波数を所定の間隔で順次検索して受信電界強度の大きい周波数を選択し、前記選択した周波数の所定範囲内の隣接周波数を検出し、前記隣接周波数の受信電界強度が所定の値よりも小さい場合に、前記選択した周波数を順次記憶するものであり、隣接放送局による妨害電波を検出して、検出された妨害電波の値が一定値以上の場合は、その放送局に停止せずに次の候補局を検索しに行くことにより、ノイズのない受信状態の良好な電波のみをプリセットすることができる。
【０００７】
また、本発明のオートプリセット方法は、所定範囲の複数の周波数を所定の間隔で順次検索して受信電界強度の大きい周波数を選択し、前記選択した周波数のマルチパス周波数を検出し、前記マルチパス周波数の受信電界強度が所定の値よりも小さい場合に、前記選択した周波数を順次記憶するものであり、マルチパスによる妨害電波を検出して、検出されたマルチパスの値が一定値以上の場合は、その放送局に停止せずに次の候補局を検索しに行くことにより、ノイズのない受信状態の良好な電波のみをプリセットすることができる。
【０００８】
また、本発明のオートプリセット方法は、所定範囲の複数の周波数を所定の間隔で順次検索して受信電界強度の大きい周波数を選択し、前記選択した周波数の所定範囲内の隣接周波数および前記選択した周波数のマルチパスを検出し、前記隣接周波数およびマルチパスの受信電界強度が所定の値よりも小さい場合に、前記選択した周波数を順次記憶するものであり、隣接放送局による妨害電波およびマルチパスによる妨害電波を検出して、検出された妨害電波の値が一定値以上の場合は、その放送局に停止せずに次の候補局を検索しに行くことにより、ノイズのない受信状態の良好な電波のみをプリセットすることができる。
【０００９】
また、本発明の放送受信装置は、所定範囲の複数の周波数を所定の間隔で順次検索して受信電界強度の大きい周波数を選択する手段と、前記選択した周波数の所定範囲内の隣接周波数を検出し、前記隣接周波数の受信電界強度が所定の値よりも小さい場合に、前記選択した周波数を順次記憶する手段とを備えたものであり、隣接放送局による妨害電波を検出して、検出された妨害電波の値が一定値以上の場合は、その放送局に停止せずに次の候補局を検索しに行くことにより、ノイズのない受信状態の良好な電波のみをプリセットすることができる。
【００１０】
また、本発明の放送受信装置は、所定範囲の複数の周波数を所定の間隔で順次検索して受信電界強度の大きい周波数を選択する手段と、前記選択した周波数のマルチパス周波数を検出し、前記マルチパス周波数の受信電界強度が所定の値よりも小さい場合に、前記選択した周波数を順次記憶する手段とを備えたものであり、マルチパスによる妨害電波を検出して、検出されたマルチパスの値が一定値以上の場合は、その放送局に停止せずに次の候補局を検索しに行くことにより、ノイズのない受信状態の良好な電波のみをプリセットすることができる。
【００１１】
また、本発明の放送受信装置は、所定範囲の複数の周波数を所定の間隔で順次検索して受信電界強度の大きい周波数を選択する手段と、前記選択した周波数の所定範囲内の隣接周波数を検出する手段と、前記選択した周波数のマルチパスを検出する手段と、前記検出した隣接周波数およびマルチパスの受信電界強度が所定の値よりも小さい場合に、前記選択した周波数を順次記憶する手段とを備えたものであり、隣接放送局による妨害電波およびマルチパスによる妨害電波を検出して、検出された妨害電波の値が一定値以上の場合は、その放送局に停止せずに次の候補局を検索しに行くことにより、ノイズのない受信状態の良好な電波のみをプリセットすることができる。
【００１２】
【発明の実施の形態】
以下、本発明の実施の形態について図面を用いて説明する。図１は本発明の実施の形態における車載用の放送受信装置の構成を示すブロック図である。図１において、電子同調ラジオ受信回路１１は、所定範囲の周波数、例えば８７．５ＭＨｚから１０８ＭＨｚのＦＭ方送を受信し、所望の周波数に同調して中間周波数を得、この中間周波数を検波して出力する。電界強度検出回路１２は、中間周波数から受信電界強度を検出するものであり、Ｓメータが使用される。コントロールマイコン１３は、この放送受信装置の全体を制御するとともに、電子同調ラジオ受信回路１１にオートプリセットのために一番低い周波数から順に１００ＫＨｚ間隔で同調周波数を指示し、電界強度検出回路１２および隣接局検出手段１４およびマルチパス検出手段１５からの受信電界強度から良好に受信可能な周波数であるかどうかを判断して、受信可能な周波数である場合はその周波数をプリセットメモリ１６に格納する。隣接局検出手段１４は、電界強度検出回路１２により検出された周波数の上の１００ＫＨｚに放送局があるかどうかを調べるものである。周波数検索を一番上の周波数から下に順に行う場合は、電界強度検出回路１２により検出された周波数の下の１００ＫＨｚに放送局があるかどうかを調べる。マルチパス検出手段１５は、電界強度検出回路１２により検出された周波数のマルチパスである１９ＫＨｚの周波数が存在するか否かを検出するフィルタである。ミュート回路１７は、オートプリセットを行う場合に雑音がスピーカ７から出力されるのを防止するために、電子同調ラジオ受信回路１１からの検波出力を減衰する。アンプ１８は、電子同調ラジオ受信回路１１からの検波出力を増幅してスピーカ１９から出力する。
【００１３】
次に、本実施の形態における放送受信装置のオートプリセット動作について図２のフローを参照して説明する。図２において、ｆは受信周波数、ＩＦは中間周波数、Ｖは受信周波数の電界強度、Ｖａは予め設定されているオートプリセット時の受信周波数に必要な最低電界強度、Ｖｎは受信周波数に対する隣接妨害検出電圧値、ＶＮは予め設定されているオートプリセット時の隣接妨害基準電圧値であり、ＶｎがＶＮよりも高い場合は、受信局に隣接局からの妨害が大きいことを意味する。Ｖｍは受信周波数のマルチパス検出電圧値、ＶＭは予め設定されているオートプリセット時のマルチパス基準電圧値であり、ＶｍがＶＭよりも高い場合は、受信局がマルチパスの影響が大きいことを意味する。
【００１４】
コントロールマイコン１３は、まずステップＳ１１で電子同調ラジオ受信回路１１に周波数ｆを受信させ、ステップＳ１２で放送局自動検索を開始する。開始しない場合ステップＳ１１へ戻る。ステップＳ１２で放送局自動検索を開始した場合、ステップＳ１３でミュート回路１７に信号を送り音声信号をミュートする。ステップＳ１４で受信周波数ｆに１ステップ分（ここでは１００ＫＨｚ）だけ周波数を加算し、ステップＳ１５で１ステップ分加算された周波数ｆに同調する。ステップＳ１６では、電界強度検出回路１２からの信号を基に同調周波数ｆのＩＦ信号の有無を確認し、ＩＦ信号がなかった場合はステップＳ１４へ戻る。ステップＳ１６でＩＦ信号があった場合はステップＳ１７へ移行する。ステップＳ１７では、同調周波数ｆの電界強度Ｖを確認し、Ｖ＜ＶａならステップＳ１４へ戻り、Ｖ≧ＶａならステップＳ１８へ移行する。ステップＳ１８では、同調周波数ｆに対する隣接妨害検出電圧値Ｖｎを確認し、Ｖｎ＞ＶＮならばステップＳ１４に戻り、Ｖｎ≦ＶＮならばステップＳ１９に移行する。ステップＳ１９では、同調周波数ｆのマルチパス検出電圧値Ｖｍを確認し、Ｖｍ＞ＶＭならばステップＳ１４に戻り、Ｖｍ≦ＶＭならばステップＳ２０に移行する。ステップＳ２０では、音声信号のミュートを解除して周波数ｆの音声信号をアンプ１８で増幅してスピーカ１９から出力するとともに、その周波数情報をプリセットメモリ１６に格納する。
【００１５】
このように、本実施の形態によれば、電子同調ラジオ受信回路１１が同調した周波数の電界強度レベルを電界強度検出回路１２で検出し、電界強度レベルが一定以上の場合は、さらに隣接局検出手段１４により隣接周波数の電界強度レベルを調べ、さらにマルチパス検出手段１５によりマルチパスの存在を調べ、隣接周波数およびマルチパスの受信電界強度が所定の値よりも小さい場合に限り、同調した周波数をプリセットメモリ１６に記憶するようにしたので、ノイズのない受信状態の良好な電波のみをプリセットすることができる。
【００１６】
【発明の効果】
以上説明したように、本発明は、所定範囲の複数の周波数を所定の間隔で順次検索して受信電界強度の大きい周波数を選択し、選択した周波数の所定範囲内の隣接周波数およびまたは選択した周波数のマルチパスを検出し、隣接周波数およびまたはマルチパスの受信電界強度が所定の値よりも小さい場合に、選択した周波数を順次記憶するようにしたので、隣接放送局による妨害電波およびまたはマルチパスによる妨害電波による受信障害を防止して、ノイズのない受信状態の良好な電波のみをプリセットすることができ、ラジオ放送を快適に聴取することができる。
【図面の簡単な説明】
【図１】本発明の実施の形態における放送受信装置の構成を示すブロック図
【図２】本発明の実施の形態におけるオートプリセット動作を示すフロー図
【図３】従来例における放送受信装置の構成を示すブロック図
【図４】従来例におけるオートプリセット動作を示すフロー図
【符号の説明】
１１　電子同調ラジオ受信回路
１２　電界強度検出回路
１３　コントロールマイコン
１４　隣接局検出手段
１５　マルチパス検出手段
１６　プリセットメモリ
１７　ミュート回路
１８　アンプ
１９　スピーカ
【図１】
2004056500.tif 000003
【図２】
2004056500.tif 000004
【図３】
2004056500.tif 000005
【図４】
2004056500.tif 000006